(57)【特許請求の範囲】
【請求項１】
洗濯物を収納するドラムと、
前記ドラムから排出された乾燥用空気を再び前記ドラム内へ循環させる循環風洞と、
前記循環風洞を通して前記ドラムに送風するための送風機と、
前記循環風洞内に着脱自在に配設され、洗濯物から発生した乾燥用空気に含まれるリントを捕捉する乾燥フィルタ装置とを備え、
前記乾燥フィルタ装置は、前記リントを掻き取るリント除去装置を有し、
前記リント除去装置は、除去装置回転軸と除去装置ギアとリント掻き取り部とが設けられ、
前記リント除去装置を駆動する本体モータと本体モータ回転軸に取り付けられたモータギアとが衣類乾燥機本体に設けられ、
前記除去装置回転軸は前記本体モータ回転軸と平行になるように設置され、
前記乾燥フィルタ装置の取り付け方向と、前記除去装置回転軸および前記本体モータ回転軸とはそれぞれ直交しており、かつ、前記乾燥フィルタ装置の着脱方向に対して、前記本体モータ回転軸および前記除去装置回転軸を結ぶ線分は所定の角度を持って斜め位置になるように前記モータギアが設けられ、
前記リント除去装置の駆動は、衣類乾燥機本体に設けられた本体モータのモータギアから、前記リント除去装置に設けられた除去装置ギアに回転駆動が伝達されることで行われ、前記リント除去装置の駆動時において、前記モータギアと前記除去装置ギアとの接する歯が前記乾燥フィルタ装置の取付け方向側に移動するように、前記モータギアが回転する衣類乾燥機。
【請求項２】
前記乾燥フィルタ装置は略円筒形からなる第１のメッシュ部と第２のメッシュ部とを備え、
前記リント除去装置は前記第１のメッシュ部に沿ったらせん形状を備えたリント掻き取り部を設けた請求項１に記載の衣類乾燥機。
【請求項３】
前記乾燥フィルタ装置は、乾燥用空気を導入する導入部と、前記導入部に隣接して乾燥用空気から前記第１のメッシュ部によりリントを捕捉する第１のフィルタ部と、前記第１のフィルタ部の側方に設けられ前記第２のメッシュ部を備えた第２のフィルタ部とを備え、
前記リント除去装置により前記第１のフィルタ部で掻き取ったリントを前記第２のフィルタ部へ向けて移動させるようにした請求項２に記載の衣類乾燥機。
【請求項４】
前記リント除去装置は、前記掻き取り部に前記第１のフィルタ部と圧接する圧接部を設けた請求項３に記載の衣類乾燥機。
【請求項５】
前記リント除去装置は、前記圧接部を柔軟体で構成した請求項４に記載の衣類乾燥機。
【請求項６】
前記乾燥フィルタ装置は、前記第１のフィルタ部の側方に隣接して前記第２のフィルタ部に連通する開口部を設けた請求項３〜５のいずれか１項に記載の衣類乾燥機。
【発明の詳細な説明】
【技術分野】
【０００１】
本発明は、衣類等の繊維製品の乾燥をおこなう衣類乾燥機に関する。
【背景技術】
【０００２】
従来の衣類乾燥機は、洗濯物から発生した乾燥用空気に含まれるリントを捕捉するフィルタ部と、フィルタ部に捕捉されたリントを回収するリント回収部と、フィルタ部に捕捉されたリントを掻き取り、リント回収部に排出する排出手段とを備えているものがある（例えば、特許文献１参照）。
【０００３】
図１１は、従来の衣類乾燥機の要部断面図である。フィルタ部は、風路１０８を循環する乾燥用空気の送風方向にほぼ直交した略半円筒状フィルタ１０１を有している。排出手段は、略半円筒状フィルタ１０１に内接して回転するらせん状の線材１０２で構成されている。そして、乾燥用空気の一部がリント回収部１００に設けられたリント回収箱１０３、バイパスフィルタ１０４、リント回収箱１０３を内包する枠体１０５、枠体１０５の開口部１０６、連通路１０７を通過して、フィルタ部の下流側の風路１０８に流れる。
【０００４】
このように、風路１０８を循環する空気の一部がリント回収部１００を通してフィルタ部の下流側の風路１０８へ流れることにより、風路１０８を流れる乾燥用空気の一部がバイパスしてリント回収部１００内を通って、略半円筒状フィルタ１０１部の下流側へと流れる。この空気の流れにより、リント回収部１００に溜まったリントが圧縮され、カサを少なくすることができるため、リント回収部１００に貯めるリント量が多くなり、リントを廃棄する回数を大幅に減らすことができる。さらに、リントが圧縮された形で溜まるため、蓋部１０９を取り外し、リント回収箱１０３を取り出してリントを廃棄する際も、廃棄時に飛散し、床を汚すという心配もなくなる。
【先行技術文献】
【特許文献】
【０００５】
【特許文献１】特開２００８−６０４４号公報
【発明の概要】
【発明が解決しようとする課題】
【０００６】
しかしながら、従来の構成では、特にフィルタ部の目詰まりや異物混入時のときに必要なフィルタ部の着脱に関して改善がなされていない。すなわち、らせん状の線材１０２に回転駆動力を与えると、らせん状の線材１０２に反力が働き、フィルタ部が衣類乾燥機本体から抜け出す恐れがあるという課題を有していた。
【０００７】
本発明は、従来の課題を解決するもので、フィルタ浮き上がりを防止しつつ、リント除去のためのモータトルクを十分に乾燥フィルタのリント除去装置に伝達できるようにした衣類乾燥機を提供することを目的とする。
【課題を解決するための手段】
【０００８】
前記従来の課題を解決するために、本発明の衣類乾燥機は、洗濯物を収納するドラムと、前記ドラムから排出された乾燥用空気を再び前記ドラム内へ循環させる循環風洞と、前記循環風洞を通して前記ドラムに送風するための送風機と、前記循環風洞内に着脱自在に配設され、洗濯物から発生した乾燥用空気に含まれるリントを捕捉する乾燥フィルタ装置とを備え、前記乾燥フィルタ装置は、前記リントを掻き取るリント除去装置を有し、前記リント除去装置は、除去装置回転軸と除去装置ギアとリント掻き取り部とが設けられ、前記リント除去装置を駆動する本体モータと本体モータ回転軸に取り付けられたモータギアとが衣類乾燥機本体に設けられ、前記除去装置回転軸は前記本体モータ回転軸と平行になるように設置され、前記乾燥フィルタ装置の取り付け方向と、前記除去装置回転軸および前記本体モータ回転軸とはそれぞれ直交しており、かつ、前記乾燥フィルタ装置の着脱方向に対して、前記本体モータ回転軸および前記除去装置回転軸を結ぶ線分は所定の角度を持って斜め位置になるように前記モータギアが設けられ、前記リント除去装置の駆動は、衣類乾燥機本体に設けられた本体モータのモータギアから、前記リント除去装置に設けられた除去装置ギアに回転駆動が伝達されることで行われ、前記リント除去装置の駆動時において、前記モータギアと前記除去装置ギアとの接する歯が前記乾燥フィルタ装置の取付け方向側に移動するように、前記モータギアが回転するものである。
【０００９】
このような構成によって、リント除去時にモータからリント除去装置にかかる外力は、常に乾燥フィルタ装置が抜ける方向の成分を含まないので、衣類乾燥機本体から抜け出しにくくすることができる。乾燥フィルタ装置は位置ずれをしないので、モータギアと除去装置ギアの噛み合わせずれを起こしにくくなり、リント除去時にモータから受ける回転駆動を、除去装置ギアを介して良好に受け取り、確実にリント除去を行うことができる。
【発明の効果】
【００１０】
リント除去時にモータからリント除去装置にかかる外力は常に乾燥フィルタ装置が抜ける方向の成分を含まないので、衣類乾燥機本体から抜け出しにくくなり、確実にリント除去を行うことができる。
【図面の簡単な説明】
【００１１】
【図１】本発明の実施の形態１における衣類乾燥機の断面図
【図２】同衣類乾燥機の外観図
【図３】同衣類乾燥機の乾燥フィルタ装置の斜視図
【図４】同衣類乾燥機の乾燥フィルタ装置の正面向き斜視図
【図５】同衣類乾燥機の乾燥フィルタ装置の正面図
【図６】同衣類乾燥機の乾燥フィルタ装置の背面図
【図７】同衣類乾燥機の乾燥フィルタ装置装着時の時系列図
【図８】同衣類乾燥機の乾燥フィルタ装置の側面図
【図９】同衣類乾燥機のＡ−Ａ断面図
【図１０】同衣類乾燥機の図９におけるＢ拡大図
【図１１】従来の衣類乾燥機の要部断面図
【発明を実施するための形態】
【００１２】
第１の発明は、洗濯物を収納するドラムと、前記ドラムから排出された乾燥用空気を再び前記ドラム内へ循環させる循環風洞と、前記循環風洞を通して前記ドラムに送風するための送風機と、前記循環風洞内に着脱自在に配設され、洗濯物から発生した乾燥用空気に含まれるリントを捕捉する乾燥フィルタ装置とを備え、前記乾燥フィルタ装置は、前記リントを掻き取るリント除去装置を有し、前記リント除去装置は、除去装置回転軸と除去装置ギアとリント掻き取り部とが設けられ、前記リント除去装置を駆動する本体モータと本体モータ回転軸に取り付けられたモータギアとが衣類乾燥機本体に設けられ、前記除去装置回転軸は前記本体モータ回転軸と平行になるように設置され、前記乾燥フィルタ装置の取り付け方向と、前記除去装置回転軸および前記本体モータ回転軸とはそれぞれ直交しており、かつ、前記乾燥フィルタ装置の着脱方向に対して、前記本体モータ回転軸および前記除去装置回転軸を結ぶ線分は所定の角度を持って斜め位置になるように前記モータギアが設けられ、前記リント除去装置の駆動は、衣類乾燥機本体に設けられた本体モータのモ
ータギアから、前記リント除去装置に設けられた除去装置ギアに回転駆動が伝達されることで行われ、前記リント除去装置の駆動時において、前記モータギアと前記除去装置ギアとの接する歯が前記乾燥フィルタ装置の取付け方向側に移動するように、前記モータギアが回転するものである。
【００１３】
これによって、リント除去を衣類乾燥機が自動で行うことができるので、メンテナンスの手間が大幅に削減できるため、利便性が高まる。また、モータからリント除去装置にかかる外力は常に乾燥フィルタ装置が抜ける方向の成分を含まないので、乾燥フィルタ装置は抜けることがなく、位置ずれによるモータギアと除去装置ギアの噛み合わせずれを起こしにくい。よって、リント除去時にモータから受ける回転駆動を、除去装置ギアを介して良好に受け取り、確実にリント除去を行うことができる。加えて、モータギアは、乾燥フィルタ装置の取り付け方向から横にずれて配置されるので、除去装置ギアとモータギアが噛み合わない位置で装着されようとしたとき、除去装置ギアに接線方向にフィルタ挿入の反力が作用して、除去装置ギアは回転しながらモータギアと噛み合うように装着される。そのため、フィルタ装着時にギア同士が衝突したまま更に装着力がかかって破損する恐れなく、スムーズにフィルタ装着できる。
【００１４】
第２の発明は、第１の発明の乾燥フィルタ装置は、略円筒形からなる第１のメッシュ部と第２のメッシュ部とを備え、前記リント除去装置は前記第１のメッシュ部に沿ったらせん形状を備えたリント掻き取り部を設けたものである。これによって、リント掻き取り部はらせん形状のメッシュ対面部がリントを掻き取る際、メッシュ上のリントにメッシュのラジアル方向とスラスト方向の力を与えるため、リントは掻き取られながら除去装置回転軸に沿う方向に移動していくため、掻き取ったリントが乾燥用空気に流されて、メッシュに再付着することを防ぐことができる。
【００１５】
第３の発明は、特に、第１の発明の乾燥フィルタ装置は、乾燥用空気を導入する導入部と、前記導入部に隣接して乾燥用空気から前記第１のメッシュ部によりリントを捕捉する第１のフィルタ部と、前記第１のフィルタ部の側方に設けられ前記第２のメッシュ部を備えた第２のフィルタ部とを備え、前記リント除去装置により前記第１のフィルタ部で掻き取ったリントを前記第２のフィルタ部へ向けて移動させるようにしたものである。これによって、導入部を介して乾燥用空気が最初に導入される第１のフィルタ部は、乾燥フィルタ装置のうち主な通風部となる。また、常にリントがない乾燥用空気の通風に優れたものとすることができる。第２のフィルタ部はリントが堆積していないときは通風部として、リントが堆積してくるとリント溜め部とすることができる。また、第２のフィルタ部にリントが大量に堆積してくると、乾燥フィルタ装置を取り外してリントを取り除く必要があるが、乾燥フィルタ装置の主な通風部である第１のフィルタ部とリントが堆積していく第２のフィルタ部が一体化して着脱できることによって、第２のフィルタ部のリントを取り除くと同時に第１のフィルタ部の目詰まりや異物混入のチェックも行うことができるため、利便性が増す。
【００１６】
第４の発明は、特に、第３の発明のリント除去装置は、掻き取り部に第１のフィルタ部と圧接する圧接部を設けたものである。これによって、圧接部ではリント除去装置の掻き取り力が効果的にリントに伝えられてリントを掻き取ることができる。
【００１７】
第５の発明は、特に、第４の発明のリント除去装置は、圧接部を柔軟体で構成したものである。これによって、メッシュのたわみや除去装置回転軸のがたつきが発生した場合でも、掻き取り部は均一に第１のフィルタ部を圧接することができるため、リント掻き取り性能を確保することができる。
【００１８】
第６の発明は、特に、第３〜第５のいずれか一つの発明の乾燥フィルタ装置は、第１のフィルタ部の側方に隣接して第２のフィルタ部に連通する開口部を設けたものである。フィルタ部では通常圧力損失が発生するために、全ての乾燥用空気が第１のフィルタ部を通過して乾燥フィルタ装置から出て行くわけではなく、残りの乾燥用空気は開口部を介して第２のフィルタ部へと導かれる。その際、第１のフィルタ部を通過できなかった乾燥用空気は、第１のフィルタ部に一旦衝突した後、第１のフィルタ部に沿う流れを形成する。そのため、第１のフィルタ部の側方に隣接して、乾燥用空気を第２のフィルタ部へと導くための開口部を設けておけば、第１のフィルタ部を通過できなかった乾燥用空気が、第１のフィルタ部に沿いつつ、開口部を介して第２のフィルタ部へと導かれる状態を作り出すことができる。これによって、リントが除去される第１のフィルタ部に沿って、除去されたリントを第２のフィルタ部へと導く流れを作為的に発生させることができるため、より多くのリントが第１のフィルタ部で掻き取られたあと、速やかに第２のフィルタ部へと移動することができて、第１のフィルタ部での再捕捉をより防ぐことができる。
【００１９】
以下、本発明の実施の形態について、図面を参照しながら説明する。なお、この実施の形態によって本発明が限定されるものではない。
【００２０】
（実施の形態１）
図１は、本発明の実施の形態１における衣類乾燥機の断面図、図２は、本発明の実施の形態１における衣類乾燥機の外観図、図３は、本発明の実施の形態１における衣類乾燥機の乾燥フィルタ装置の斜視図、図４は、本発明の実施の形態１における衣類乾燥機の乾燥フィルタ装置の正面向き斜視図、図５は、本発明の実施の形態１における衣類乾燥機の乾燥フィルタ装置の正面図、図６は、本発明の実施の形態１における衣類乾燥機の乾燥フィルタ装置の背面図、図７は、本発明の実施の形態１における衣類乾燥機の乾燥フィルタ装置装着時の時系列図、図８は、本発明の実施の形態１における衣類乾燥機の乾燥フィルタ装置の側面図、図９は、本発明の実施の形態１における衣類乾燥機の図８におけるＡ−Ａ断面図、図１０は、本発明の実施の形態１における衣類乾燥機の図９におけるＢ拡大図である。
【００２１】
図１において、外槽１は衣類乾燥機の筐体２の内部で複数のサスペンション機構３により弾性的に支持されている。ドラム４は、正面側に洗濯物５を出し入れする投入口６を有し、有底筒状に構成され、外槽１内に配設されている。ドラム４は、ドラム回転軸１１で回転可能に支持され、洗濯物５を収納する。ドラム４の周壁７には、複数の通孔８が設けられている。また、ドラム４内の周壁７には洗濯物５を効率的に持ち上げるための撹拌バッフル９が設けられている。外槽１とドラム４とドラム回転軸１１は、水平に対して角度θ（例えば２０°）前上がりに傾けて配置されている。
【００２２】
外槽１の外部には駆動手段１０が設けられており、駆動手段１０の駆動により、ドラム４が正逆回転する。筐体２の前面には、洗濯物５を出し入れする略円形状の投入口６と、これを開閉する扉１２が設けられている。投入口６と対向する外槽１の開口部は、パッキン１３によって、筐体２と気密構成を確保して連結されている。
【００２３】
乾燥用空気をドラム４に供給する送風機１４が筐体２の略上部に設けられている。送風機１４は、送風機１４を駆動するファンモータ１４ａと、ファンモータ１４ａの電流値を測定するモータ電流計測装置１４ｂを具備している。加熱手段１５は、送風機１４の下流側に設けられている。送風機１４、加熱手段１５は循環風洞１６に設けられている。循環風洞１６の下流側は、外槽１の内筒底部に設けられた送気口１７と連通し、上流側は、外槽１の周壁７に設けられた排気口１８と連通している。
【００２４】
乾燥用空気は、加熱手段１５を通過した後、送気口１７の順に通風してドラム４内部に到着する。ドラム４から排出される乾燥用空気は、排気口１８、循環風洞１６、送風機１４、送気口１７、ドラム４を循環する。以上の乾燥用空気の流れ（図１の矢印で示す）を循環空気経路１６ａとして構成している。
【００２５】
循環風洞１６には乾燥用空気を除湿するため冷却水を供給する冷却水供給口１９と、熱交換器２０と、乾燥フィルタ装置２１が設けられている。洗濯物５と接触し多湿になった乾燥用空気は、熱交換器２０で冷却されて除湿される。冷却水、及び除湿された水は、筐体２外に排出される。乾燥フィルタ装置２１は送風機１４の上流に設けられて、洗濯物５から発生した乾燥用空気に含まれるリントを捕捉することで、送風機１４でのリント堆積による不具合を防止する。
【００２６】
図４〜６、９に示すように、乾燥フィルタ装置２１は、乾燥用空気を導入する導入部２１ａと、導入部２１ａから導入された乾燥用空気からリントを捕捉する第１のフィルタ部２１ｂと、第２のフィルタ部２１ｃと、第１のフィルタ部を通過し切れなかった残りの乾燥用空気を第２のフィルタ部へと導く開口部２１ｄと、リント除去装置２２を有している。第１のフィルタ部２１ｂの側方に隣接して開口部２１ｄが設けられている。
【００２７】
図４、５に示すように、第１のフィルタ部２１ｂおよび第２のフィルタ部２１ｃはそれぞれ、略円筒形からなる第１のメッシュ部２１ｅおよび第２のメッシュ部２１ｆを備えている。第１のメッシュ部２１ｅおよび第２のメッシュ部２１ｆを乾燥用空気が通過する際に、乾燥用空気に含まれるリントが乾燥フィルタ装置２１に捕捉される。第１のメッシュ部２１ｅおよび第２のメッシュ部２１ｆは、同軸形状となっている。
【００２８】
リント除去装置２２には、第１のメッシュ部２１ｅに沿ったらせん形状を備えたリント掻き取り部２３が設けられている。図１０に示すように、リント掻き取り部２３の周方向の先端は、柔軟なエラストマで構成しており、第１のフィルタ部２１ｂと圧接する圧接部２３ａとなっている。これによって、リント掻き取り部２３はらせん形状の先端の圧接部２３ａがリントを掻き取る際、メッシュ上のリントにメッシュのラジアル方向とスラスト方向の力を与えるため、リントは掻き取られながら除去装置回転軸２３ｂに沿う方向Ｚに移動していくため、掻き取ったリントが乾燥用空気に流されて、メッシュに再付着することを防ぐことができる。また、リント掻き取り部２３に第１のフィルタ部２１ｂと圧接する圧接部２３ａを設けたことで、圧接部２３ａではリント除去装置２２の掻き取り力が効果的にリントに伝えられてリントを掻き取ることができる。圧接部２３ａは柔軟体で構成されているため、第１のメッシュ部２１ｅのたわみや除去装置回転軸２３ｂのがたつきが発生した場合でも、リント掻き取り部２３は均一に第１のフィルタ部２１ｂを圧接することができるため、リント掻き取り性能を確保することができる。
【００２９】
図２に示すように、乾燥フィルタ装置２１は、衣類乾燥機本体とＸ方向に着脱可能なように設けられている。図３に示すように、衣類乾燥機本体には、リント除去装置２２を駆動するための本体モータ２４と、本体モータ回転軸２５の先端に取り付けられたモータギア２６とが設けられている。乾燥フィルタ装置２１が衣類乾燥機本体に装着された際には、リント掻き取り部２３の回転軸として設けた除去装置回転軸２３ｂは、本体モータ回転軸２５と平行になるように設置される。さらに、図８に示すように、乾燥フィルタ装置２１の着脱方向Ｘに対して、本体モータ回転軸２５および除去装置回転軸２３ｂを結ぶ線分は所定の角度を持って斜め位置になるように、モータギア２６が設けられている。除去装置回転軸２３ｂの先端には、除去装置ギア２２ａが設けられており、乾燥フィルタ装置２１が衣類乾燥機本体に装着された際にはモータギア２６と連係して本体モータ２４の回転駆動をリント除去装置２２に伝える。リント除去時には、モータギア２６と除去装置ギア２２ａとの接する歯が、乾燥フィルタ装置２１を取り付ける方向Ｐに移動するように、モータギア２６が回転する（図８での時計回りに回転する）。
【００３０】
すなわち、リント除去時には、モータギア２６と除去装置ギア２２ａとの接点の方向が、除去装置ギア２２ａに対してモータギア２６が設けられている側へのベクトル成分を含むようになっている。
【００３１】
以上のように構成された衣類乾燥機について、以下にその動作、作用を説明する。
【００３２】
乾燥行程では、ドラム４が濡れた洗濯物５を内部に保有して回転している。乾燥用空気は送風機１４によって送風され、加熱手段１５を通過した後、送気口１７の順に通風してドラム４内部に到着する。ドラム４に到着した乾燥用空気は濡れた洗濯物５と接触して洗濯物５を乾燥させた後、洗濯物５から発生したリントを含みつつ、通孔８を通ってドラム４を出て外槽１に設けられた排気口１８から外槽１を出ていく。外槽１を出た乾燥用空気は、循環空気経路１６ａを通過して熱交換器２０で冷却水によって除湿されたのち、送風機１４に到達する前に乾燥フィルタ装置２１で、乾燥用空気からリントが除去される。
【００３３】
乾燥用空気は導入部２１ａを通り乾燥フィルタ装置２１に導入される。最初に導入される第１のフィルタ部２１ｂは、乾燥フィルタ装置２１のうち主な通風部となると同時に、常にリントがない乾燥用空気の通風に優れたものとすることができる。第２のフィルタ部２１ｃはリントが堆積していないときは通風部として機能する。リントが堆積してくると、リント除去装置２２で掻き取ったリントを第２のフィルタ部２１ｃへ向けて移動させるようにしてリント溜め部とすることができる。
【００３４】
第１のフィルタ部２１ｂの側方には、隣接して開口部２１ｄが設けてられている。フィルタ部では通常圧力損失が発生するために、第１のフィルタ部２１ｂに導入された全ての乾燥用空気が第１のフィルタ部２１ｂを通過して乾燥フィルタ装置２１から出て行くわけではなく、残りの乾燥用空気は開口部２１ｄを介して第２のフィルタ部２１ｃへと導かれる。その際、第１のフィルタ部２１ｂを通過できなかった乾燥用空気は、第１のフィルタ部２１ｂに一旦衝突した後、第１のフィルタ部２１ｂに沿う流れＹを形成する（図４）。そのため、第１のフィルタ部２１ｂの側方に隣接して、乾燥用空気を第２のフィルタ部２１ｃへと導くための開口部２１ｄを設けておけば、第１のフィルタ部２１ｂを通過できなかった乾燥用空気が、第１のフィルタ部２１ｂに沿いつつ、開口部２１ｄを介して第２のフィルタ部２１ｃへと導かれる状態を作り出すことができる。これによって、リントが除去される第１のフィルタ部２１ｂに沿って、除去されたリントを第２のフィルタ部２１ｃへと導く乾燥用空気の流れを作為的に発生させることができる。その結果、らせん形状のリント掻き取り部２３のリント移動効果に加えて、乾燥用空気の働きによってより多くのリントが第１のフィルタ部２１ｂで掻き取られたあと、速やかに第２のフィルタ部２１ｃへと移動することができて、第１のフィルタ部２１ｂでの再捕捉をより防ぐことができる。
【００３５】
また、第２のフィルタ部２１ｃにリントが大量に堆積してくると、乾燥フィルタ装置２１を取り外してリントを取り除く必要がある。この際、乾燥フィルタ装置２１の主な通風部である第１のフィルタ部２１ｂとリントが堆積していく第２のフィルタ部２１ｃが一体化して着脱できるので、第２のフィルタ部２１ｃのリントを取り除くと同時に第１のフィルタ部２１ｂの目詰まりや異物混入のチェックも行うことができる。このような構成によって使い勝手のよいものとすることができる。
【００３６】
乾燥フィルタ装置２１の取り付け時は、除去装置ギア２２ａが回転しながら、モータギア２６と噛み合うように装着される。これは、モータギア２６と除去装置ギア２２ａとの位置関係は、乾燥フィルタ装置２１の着脱方向Ｘに対して、本体モータ回転軸２５および除去装置回転軸２３ｂを結ぶ線分が所定の角度を持って斜め位置になるように、配置されているためである。除去装置ギア２２ａとモータギア２６が噛み合わない位置で装着されようとしたとき、除去装置ギア２２ａとモータギア２６が接する接点２２ｂにおいて除去装置ギア２２ａに接線方向にフィルタ挿入の反力が作用するので、フィルタ装着時にギア同士が衝突したまま更に装着力がかかって破損する恐れなく、スムーズにフィルタ装着できる。
【００３７】
また、リント除去時の本体モータ２４の回転方向は、乾燥フィルタ装置２１が抜ける方向の成分を含まないので、乾燥フィルタ装置２１は位置ずれによるモータギア２６と除去装置ギア２２ａの噛み合わせずれを起こすことなく、リント除去時に本体モータ２４から受ける回転駆動を、除去装置ギア２２ａを介して良好に受け取り、確実にリント除去を行うことができる。
【００３８】
以上のように、衣類乾燥機本体の本体モータ２４の駆動を介して、リント除去装置２２のリント掻き取り部２３がリント除去を自動で行うので、メンテナンスの手間が大幅に削減できて、利便性が高まる。また、らせん状の線材１０２に働く反力に打ち勝つためにフィルタ部に抜け防止の機構を加えると、機構が複雑になるが、以上のように構成することにより、簡単な機構で、乾燥フィルタ装置２１を抜けにくくすることができる。さらに、フィルタの着脱が繰り返されることに対する信頼性を確保した、着脱可能な乾燥フィルタ装置２１を提供することができる。
【００３９】
なお、本発明において、洗濯機能の有無は関係ないため、洗濯機能を有する洗濯乾燥機において同様の構成としても同様の効果奏する。
【産業上の利用可能性】
【００４０】
以上のように、本発明にかかる衣類乾燥機は、乾燥時間が急激に伸び始める前に乾燥フィルタのリント捕捉による圧力損失を解消することで、乾燥の長時間化を抑えつつ、リント除去装置の駆動耐久性に優れた乾燥機、および洗濯乾燥機として有用である。
【符号の説明】
【００４１】
１      外槽
２      筐体
３      サスペンション機構
４      ドラム
５      洗濯物
６      投入口
７      周壁
８      通孔
９      撹拌バッフル
１０    駆動手段
１１    ドラム回転軸
１２    扉
１３    パッキン
１４    送風機
１４ａ  ファンモータ
１４ｂ  モータ電流計測装置
１５    加熱手段
１６    循環風洞
１６ａ  循環空気経路
１７    送気口
１８    排気口
１９    冷却水供給口
２０    熱交換器
２１    乾燥フィルタ装置
２１ａ  導入部
２１ｂ  第１のフィルタ部
２１ｃ  第２のフィルタ部
２１ｄ  開口部
２１ｅ  第１のメッシュ部
２１ｆ  第２のメッシュ部
２２    リント除去装置
２２ａ  除去装置ギア
２２ｂ  接点
２３    リント掻き取り部
２３ａ  圧接部
２３ｂ  除去装置回転軸
２４    本体モータ
２５    本体モータ回転軸
２６    モータギア
【図１】
0006043945.tif 000002
【図２】
0006043945.tif 000003
【図３】
0006043945.tif 000004
【図４】
0006043945.tif 000005
【図５】
0006043945.tif 000006
【図６】
0006043945.tif 000007
【図７】
0006043945.tif 000008
【図８】
0006043945.tif 000009
【図９】
0006043945.tif 000010
【図１０】
0006043945.tif 000011
【図１１】
0006043945.tif 000012